(57)【要約】固定的ボディ１２は操作用の多数のキー１８と複数のマイク２２，２４を有する。可動ボディ１６は固定的ボディ１２にヒンジ１４により折りたたみ可能に結合され、レシーバ３４と液晶画面３２とを有する。可動ボディ１６はさらに複数のマイクがあることを認識させる構造４０を有する。複数のマイク２２，２４は通話のために使用されることができ、あるいはステレオ録音のために使用されることができる。複数のマイクがあることを認識させる構造４０は、音をマイクに向かって導く。複数のマイクがあることを認識させる構造４０は、マイクの上の壁に設けられた穴又はそれに通じる凹部が見えるように形成される。
2004105362.tif 000002
【特許請求の範囲】
【請求項１】
複数のマイクを有する第１のボディと、該第１のボディにヒンジにより折りたたみ可能に結合され且つ該第１のボディに複数のマイクがあることを認識させる構造を有する第２のボディとからなり、該複数のマイクがあることを認識させる構造は、該複数のマイクにそれぞれ音を導くように該第２のボディに設けられた凹部又は穴からなることを特徴とする携帯端末装置。
【請求項２】
該複数のマイクは該第１のボディの該ヒンジから遠い一辺の両端部に設けられた２つのマイクからなることを特徴とする請求項１に記載の携帯端末装置。
【請求項３】
該第２のボディは該第２のボディを該第１のボディに対して折りたたんだ状態で該複数のマイクを覆っており、該第２のボディに設けられた凹部又は穴は、該第２のボディを該第１のボディに対して折りたたんだ状態で該複数のマイクがあることを認識することができるように構成されていることを特徴とする請求項１に記載の携帯端末装置。
【請求項４】
該第２のボディに設けられた凹部又は穴は、該複数のマイクとそれぞれ対応する位置に設けられることを特徴とする請求項３に記載の携帯端末装置。
【請求項５】
該第１のボディはマイクを覆う壁を含み、該壁は外部から該マイクへ音を導く穴を有し、該複数のマイクがあることを認識させる構造は、該第２のボディを該第１のボディに対して折りたたんだ状態で外部から該穴が見えるようになっている凹部からなることを特徴とする請求項３に記載の携帯端末装置。
【請求項６】
該第２のボディはマイクを覆う壁を含み、該壁は外部から該マイクへ音を導く穴及び該穴に通じる凹部を有し、該複数のマイクがあることを認識させる構造は、該第２のボディを該第１のボディに対して折りたたんだ状態で外部から該凹部が見えるようになっている凹部からなることを特徴とする請求項３に記載の携帯端末装置。
【請求項７】
該第２のボディはレシーバを有することを特徴とする請求項１に記載の携帯端末装置。
【請求項８】
該第２のボディは表示画面を有することを特徴とする請求項１に記載の携帯端末装置。
【請求項９】
該第２のボディはカメラを有することを特徴とする請求項１に記載の携帯端末装置。
【請求項１０】
該第１のボディは操作用の多数のキーを有することを特徴とする請求項１に記載の携帯端末装置。
【発明の詳細な説明】
【技術分野】  本発明は携帯電話等の携帯端末装置に関する。
【背景技術】  携帯端末装置としての携帯電話は、一般に、操作用のキーとマイクとを有する固定側ボディと、この固定側ボディにヒンジにより折りたたみ可能に結合され且つ液晶画面とスピーカとを有する可動ボディとからなる。可動ボディを固定的ボディに対して折りたたんだ状態で携帯電話を保管し、可動ボディを固定的ボディに対して開いた状態で携帯電話を使用して通話することができる。
さらに、最近の携帯電話は、種々の機能を備えている。例えば、特開２００２−２８１１３５号公報は、ステレオ再生を行うことができる携帯電話を開示している。この従来技術では、マイクとスピーカを使用して通常のように通話を行うことができるとともに、ステレオ再生時には、マイクをスピーカとして使用し、そのスピーカと本来のスピーカとともに２つのスピーカを含むステレオ再生機構を実現する。
特開２００２−１６４９９７号公報は、携帯電話にハンズフリー装置を接続し、複数のマイクを使用して複数人で通話をすることができることを開示している。また、実開平７−１１０７６号公報は、ヘッドセットを使用可能な携帯電話を開示している。
また、カメラを備えた携帯電話は急速に進歩しており、カメラを使用して優れた動画を撮影することができるようになっている。さらに、録音機構を備えた携帯電話がある。しかし、従来の録音機構を備えた携帯電話においては、通話用のマイクを使用してモノラル録音を行うようになっており、マイクを使用してステレオ録音を行うことはできなかった。
【発明の開示】
本発明の目的は、複数のマイクを設けてステレオ録音を行うことのできる携帯端末装置を提供することである。
本発明による携帯端末装置は、複数のマイクを有する第１のボディと、該第１のボディにヒンジにより折りたたみ可能に結合され且つ該第１のボディに複数のマイクがあることを認識させる構造を有する第２のボディとからなり、該複数のマイクがあることを認識させる構造は、該複数のマイクにそれぞれ音を導くように該第２のボディに設けられた凹部又は穴からなることを特徴とする。
上記構成においては、折りたたみ型携帯端末装置に複数のマイクが設けられ、マイクを使用して通話を行うことができ、さらに、マイクを使用してステレオ録音を行うことができる。そして、複数のマイクがあることを認識させる構造が設けられているので、ユーザーは複数のマイクがあることを視覚的に認識することができ、積極的にステレオ録音を実施するようになる。複数のマイクがあることを認識させる構造は、第２のボディを第１のボディに対して折りたたんだときに、第１のボディにマイクがあることを認識させるように設定されている。
【図面の簡単な説明】  図１は本発明の実施例の開放された状態の携帯電話を示す斜視図である。
図２は折りたたまれた状態の図１の携帯電話を示す斜視図である。
図３は図２の携帯電話の一部を示す拡大斜視図である。
図４は図３の線ＩＶ−ＩＶに沿った図３の携帯電話を示す断面図である。
図５は本発明の他の実施例の携帯電話を示す斜視図である。
図６は図５の一部を示す断面図である。
図７は本発明の他の実施例の携帯電話を示す斜視図である。
図８は本発明の他の実施例の携帯電話を示す斜視図である。
図９は本発明の他の実施例の携帯電話を示す斜視図である。
【発明を実施するための最良の形態】  図１は本発明の実施例の開放された状態の携帯電話を示す斜視図である。図２は折りたたまれた状態の図１の携帯電話を示す斜視図である。図１及び図２において、携帯電話１０は、固定的ボディ（第１のボディ）１２と、この固定的ボディ１２にヒンジ１４により折りたたみ可能に結合された可動ボディ（第２のボディ）１６とからなる。可動ボディ１６を固定的ボディ１２に対して折りたたんだ状態で携帯電話１０を使用又は保管し、可動ボディ１６を固定的ボディ１２に対して開いた状態で携帯電話１０を使用することができる。可動ボディ１６を固定的ボディ１２に対して折りたたんだ状態で、可動ボディ１６は固定的ボディ１２を実質的に覆う形状に形成されている。
固定的ボディ１２は、内面側に、操作用の多数のキー１８と、複数のマイク２２，２４を有する。複数のマイク２２，２４は固定的ボディ１２のヒンジ１４から遠い一辺の両端部に設けられた２つのマイク２２，２４からなる。すなわち、２つのマイク２２，２４は固定的ボディ１２の先端側のコーナー部又はコーナー部近傍に設けられる。
図３は図２の携帯電話の一部を示す拡大斜視図である。図４は図３の線ＩＶ−ＩＶに沿った図３の携帯電話を示す断面図である。図４においては、マイク２４が固定的ボディ１２の内部に配置されている。もう一方のマイク２２も図４のマイク２４と同様に固定的ボディ１２の内部に設けられている。
マイク２２，２４は固定的ボディ１２の上壁２６により覆われている。固定的ボディ１２の上壁２６は外部からマイク２２，２４へ音を導く穴２８及び穴２８に通じる凹部３０を有する。凹部３０は固定的ボディ１２の上壁２６の一部を直線状に下に窪ませた構造である。穴２８はそれぞれマイク２２，２４の直上にあり、凹部３０は穴２８から固定的ボディ１２のコーナー部へ向かって延び、固定的ボディ１２の端部においてほぼ半円状に開口している。凹部３０の端部は可動ボディ１６を固定的ボディ１２に対して折りたたんだ状態でも見える。なお、凹部３０がなくて、穴２８のみを設けてもよい。
可動ボディ１６は、内面側に、液晶画面３２と、レシーバ３４とを有し、外面側にカメラ３６を有する。さらにアンテナ３８が設けられる。
さらに、図１から図４に示されるように、可動ボディ１６は、固定的ボディ１２に複数のマイク２２，２４があることを認識させる構造４０を有する。これらの構造４０は、複数のマイク２２，２４とそれぞれ対応する位置に設けられている。すなわち、複数のマイク２２，２４があることを認識させる構造４０は、可動ボディ１６の先端側の辺の両端部において固定的ボディ１２の上壁２６の穴２８及び凹部３０の上方にそれらとオーバーラップするように設けられる。
複数のマイク２２，２４があることを認識させる構造４０は、可動ボディ１６の先端側の辺のコーナー部において、可動ボディ１６の側面から下面（折りたたんだ状態の下面）にかけて部分的に斜めに切り取られた凹部として形成されている。従って、可動ボディ１６が固定的ボディ１２に対して折りたたまれた状態で、可動ボディ１６は複数のマイク２２，２４及び固定的ボディ１２の上壁２６の穴２８及び凹部３０を覆っているが、固定的ボディ１２の上壁２６の穴２８及び凹部３０は構造４０を介して外部から見える。
構造４０を構成する凹部は、固定的ボディ１２の上壁２６の凹部３０よりも大きい。構造４０を構成する凹部は上端部から下に向かって傾斜し、底部がかなり大きい末広がりの開口部を形成しており、それ自体がまるでマイクであるかのようにマイクの存在をアピールしている。
このように、複数のマイク２２，２４があることを認識させる構造４０は、可動ボディ１６を固定的ボディ１２に対して折りたたんだ状態で複数のマイク２２，２４があることを視覚的に認識させるように構成されている。さらに、可動ボディ１６を固定的ボディ１２に対して折りたたんだ状態でステレオ録音を行うことを助けるように、複数のマイク２２，２４があることを認識させる構造４０は、外部からマイク２２，２４へ向かって音を導くように形成されている。
携帯電話１０の内部には、ステレオ録音機能（図示せず）が設けられる。従って、複数のマイク２２，２４（又はいずれか一方のマイク）及びレシーバ３４を使用して通話を行うことができるばかりでなく、複数のマイク２２，２４を使用してステレオ録音を行うことができる。この場合、複数のマイク２２，２４があることを認識させる構造４０が設けられているので、ユーザーは複数のマイク２２，２４があることを視覚的に認識し、積極的にステレオ録音を実施するようになる。
図５は本発明の他の実施例の携帯電話を示す斜視図である。図６は図５の一部を示す断面図である。図５及び図６においても、携帯電話１０は、固定的ボディ（第１のボディ）１２と、この固定的ボディ１２にヒンジ１４により折りたたみ可能に結合された可動ボディ（第２のボディ）１６とからなる。固定的ボディ１２は、固定的ボディ１２のヒンジ１４から遠い一辺の両端部に設けられた２つのマイク２２，２４を有する。すなわち、２つのマイク２２，２４は固定的ボディ１２の先端側のコーナー部又はコーナー部近傍に設けられる。マイク２２，２４が固定的ボディ１２の内部に配置され、固定的ボディ１２の上壁２６により覆われている。固定的ボディ１２の上壁２６は外部からマイク２２，２４へ音を導く穴２８を有する。
可動ボディ１６は、固定的ボディ１２に複数のマイク２２，２４があることを認識させる構造４０を有する。複数のマイク２２，２４があることを認識させる構造４０は、複数のマイク２２，２４とそれぞれ対応する位置に設けられる。複数のマイク２２，２４があることを認識させる構造４０は前の例と同様の凹部として形成され、この場合、可動ボディ１６を固定的ボディ１２に対して折りたたんだ状態で外部からマイク２２，２４へ向かって音を導くように形成されている。また、穴２８が構造４０を介して外部から見える。
図７は本発明の他の実施例の携帯電話を示す斜視図である。図７においても、携帯電話１０は、固定的ボディ（第１のボディ）１２と、この固定的ボディ１２にヒンジ１４により折りたたみ可能に結合された可動ボディ（第２のボディ）１６とからなる。固定的ボディ１２は、固定的ボディ１２のヒンジ１４から遠い一辺の両端部に設けられた２つのマイク２２，２４を有する。固定的ボディ１２の上壁２６は外部からマイク２２，２４へ音を導く穴２８及び穴２８に通じる凹部３０を有する（図４参照）。
可動ボディ１６は、固定的ボディ１２に複数のマイク２２，２４があることを認識させる構造４０を有する。複数のマイク２２，２４があることを認識させる構造４０は、可動ボディ１６の先端側の部分の下面を連続的に切り欠いた凹部として形成される。この場合、複数のマイク２２，２４があることを認識させる構造４０は、可動ボディ１６を固定的ボディ１２に対して折りたたんだ状態で固定的ボディ１２の凹部３０が見えるようにするばかりでなく、外部からマイク２２，２４へ向かって音を導くようになっている。
図８は本発明の他の実施例の携帯電話を示す斜視図である。図８においても、携帯電話１０は、固定的ボディ（第１のボディ）１２と、この固定的ボディ１２にヒンジ１４により折りたたみ可能に結合された可動ボディ（第２のボディ）１６とからなる。固定的ボディ１２は、固定的ボディ１２のヒンジ１４から遠い一辺の両端部に設けられた２つのマイク２２，２４を有する。固定的ボディ１２の上壁２６は外部からマイク２２，２４へ音を導く穴２８及び穴２８に通じる凹部３０を有する（図４参照）。
可動ボディ１６は、固定的ボディ１２に複数のマイク２２，２４があることを認識させる構造４０を有する。複数のマイク２２，２４があることを認識させる構造４０は、可動ボディ１６の先端側の部分のコーナー部に設けられた複数の小穴を含む領域として形成される。固定的ボディ１２の先端側のコーナー部にも複数の小穴を含む領域が設けられる。ある種のマイク構造においては、マイクを覆うボディの上壁に複数の小穴を設けている。従って、可動ボディ１６の先端側の部分のコーナー部に設けられた複数の小穴を含む領域は、そこにマイクがあることを暗示させる。そのような領域が２つあることで、ステレオ録音を行うことができることを視覚的に認識することができる。
図９は本発明の他の実施例の携帯電話を示す斜視図である。図９においても、携帯電話１０は、固定的ボディ（第１のボディ）１２と、この固定的ボディ１２にヒンジ１４により折りたたみ可能に結合された可動ボディ（第２のボディ）１６とからなる。固定的ボディ１２は、固定的ボディ１２のヒンジ１４から遠い一辺の両端部に設けられた２つのマイク２２，２４を有する。固定的ボディ１２の上壁２６は外部からマイク２２，２４へ音を導く穴２８及び穴２８に通じる凹部３０を有する（図４参照）。
可動ボディ１６は、固定的ボディ１２に複数のマイク２２，２４があることを認識させる構造４０を有する。複数のマイク２２，２４があることを認識させる構造４０は、可動ボディ１６の先端側のコーナー部の上面に設けられた表示として形成される。この場合、２つのマイク２２，２４があることを直接に表示している。
以上説明したように、本発明によれば、複数のマイクを設け、かつ、複数のマイクがあることを認識させる構造を設けたので、積極的にステレオ録音を行うことができる。
【図１】
2004105362.tif 000003
【図２】
2004105362.tif 000004
【図３】
2004105362.tif 000005
【図４】
2004105362.tif 000006
【図５】
2004105362.tif 000007
【図６】
2004105362.tif 000008
【図７】
2004105362.tif 000009
【図８】
2004105362.tif 000010
【図９】
2004105362.tif 000011
【国際調査報告】
2004105362.tif 000012
2004105362.tif 000013